(57)【要約】【課題】副容器内への内容物の充填及びこれに続く副容器の密封が充分に簡易にすることができ、そしてまた副容器内の内容物を容器内に落下せしめる際に容器蓋を構成している部材が容器内に落下せしめられることがない。【解決手段】容器蓋（２、１０２）は容器の口頸部（７６）に装着される蓋部材（４）と、蓋部材に装着される副容器部材（６）と、副容器閉鎖部材（８、１０８）とを具備する。副容器閉鎖部材は蓋部材の流出筒壁（１６）及び副容器部材の内側筒壁（５８）の下端部に装着されて副容器部材の内側筒壁の下端を閉塞して、内側筒壁と協働して閉じた副容器（７４、１７４）を規定する。【選択図】　　　　図４
2004106856.tif 000002
【特許請求の範囲】
【請求項１】
容器の口頸部に装着される蓋部材と、該蓋部材に装着される副容器部材と、副容器閉鎖部材とを具備し、
該蓋部材は環状壁、該環状壁から上方に延びる装着筒壁、及び該装着筒壁よりも半径方向内側にて該環状壁から垂下し且つ少なくとも１個の流出開口が形成されている流出筒壁を有し、
該副容器部材は天面壁、該天面壁から垂下する外側筒壁、及び該外側筒壁よりも半径方向内側にて該天面壁から垂下する内側筒壁を有し、
該副容器部材の該外側筒壁を該蓋部材の該装着筒壁の外周面に昇降自在に装着することによって、該蓋部材に該副容器部材が装着され、
該副容器閉鎖部材は該蓋部材の該流出筒壁及び該副容器部材の該内側筒壁の下端部に装着されて該副容器部材の該内側筒壁の下端を閉塞して、該内側筒壁と協働して閉じた副容器を規定し、
該蓋部材に対して該副容器部材を上昇せしめると、該内側筒壁の下端が該副容器閉鎖部材から上方に離隔せしめられ、該流出筒壁の該流通開口を通して、該副容器内が容器内と連通せしめられる、
ことを特徴とする副容器を備えた容器蓋。
【請求項２】
該蓋部材の該装着筒壁の外周面には雄螺条が形成され、該副容器部材の該外側筒壁の内周面には雌螺条が形成されており、該雄螺条に該雌螺条を螺合せしめることによって該蓋部材に該副容器部材が装着されている、請求項１記載の副容器を備えた容器蓋。
【請求項３】
容器の口頸部の外周面には雄螺条及び該雄螺条の下方に配設された複数個のラチェット爪が形成されており、該蓋部材は該流出筒壁よりも半径方向外側にて該環状壁から垂下するスカート壁を有し、該スカート壁には周方向に延びる破断可能ラインが形成されており、該スカート壁は該破断可能ラインよりも上方の主部と該破断可能ラインよりも下方の環状裾部とに区画されており、該スカート壁の該主部の内周面には容器の口頸部の外周面に形成されている雄螺条に螺合せしめられる雌螺条が形成され、該スカート壁の該環状裾部の内周面には容器の口頸部の外周面に形成されているラチェット爪と協働して該蓋部材が開方向に回転せしめられるのを阻止するラチェット爪が形成されている、請求項１又は２記載の副容器を備えた容器蓋。
【請求項４】
該副容器閉鎖部材の周縁部には環状溝が形成されており、該環状溝の内側周面が該副容器部材の該内側筒壁の内周面下端部に密接せしめられる、請求項１から３までのいずれかに記載の副容器を備えた容器蓋。
【請求項５】
該環状溝の該外側周面には係止突条が形成され、該流出筒壁の外周面下端部にも係止突条が形成され、該環状溝の該外側周面の該係止突条と該流出筒壁の外周面下端部の該係止突条とを係合せしめると、該内側筒壁の内周面下端部が該環状溝の該内側周面に密接せしめられ、該流出筒壁の外周面下端部には該係止突条の下方に位置する補助突条が形成され、又は該環状溝の該外側周面には該係止突条の上方に位置する補助突条が形成されている、請求項１から４までのいずれかに記載の副容器を備えた容器蓋。
【発明の詳細な説明】
【０００１】
【発明の属する技術分野】
本発明は、副容器を備えた容器蓋、更に詳しくは、容器内に収容されている内容物を消費する際に、容器蓋に装備された副容器内に収容されている内容物を容器内に流下せしめて容器内に収容されている内容物に混合することができる形態の容器蓋に関する。
【０００２】
【従来の技術】
例えば、容器内に水を収容し、容器蓋に装備された副容器内にウイスキーを収容しておけば、副容器内のウイスキーを容器内に落下せしめて容器内の水に混合して新鮮な水割りウイスキーを作成し飲酒することができ、或いは容器内に焼酎を収容し、容器蓋に装備された副容器内にレモン果汁の如き添加液を収容しておけば、副容器内の添加液を容器内に落下せしめて焼酎に混入して焼酎の香り乃至味を改善して飲酒することができる。かような要望に鑑み、従来から副容器を備えた容器蓋が提案されている。副容器を備えた容器蓋を開示している先行文献の典型例としては、下記特許文献１乃至３を挙げることができる。
【０００３】
【特許文献１】
実公昭５０―１８８４６号公報
【特許文献２】
実公昭５０−１８８４８号公報
【特許文献３】
特許第３２８１７３０号公報
【０００４】
【発明が解決しようとする課題】
然るに、上記実公昭５０−１８８４６号公報及び実公昭５０−１８８４８号公報に開示されている副容器を備えた容器蓋には、副容器を規定する２個乃至３個の部材の相互組み合わせ様式が比較的複雑であることに起因して、副容器内への内容物の充填及びかかる充填に続く副容器の密封操作が著しく煩雑である、という解決すべき問題が存在する。
【０００５】
一方、特許第３２８１７３０号公報に開示されている副容器を備えた容器蓋には、副容器に収容されている内容物を容器内に落下せしめる際に、副容器を規定している１個の部材も容器内に落下されてしまう、という解決すべき問題を有する。
【０００６】
本発明は上記事実に鑑みてなされたものであり、その主たる技術的課題は、副容器内への内容物の充填及びこれに続く副容器の密封が充分に簡易であり、そしてまた副容器内の内容物を容器内に落下せしめる際に容器蓋を構成している部材が容器内に落下せしめられることがない、新規且つ優れた副容器を備えた容器蓋を提供することである。
【０００７】
【課題を達成するための手段】
本発明によれば、上記主たる技術的課題を達成する副容器を備えた容器蓋として、容器の口頸部に装着される蓋部材と、該蓋部材に装着される副容器部材と、副容器閉鎖部材とを具備し、
該蓋部材は環状壁、該環状壁から上方に延びる装着筒壁、及び該装着筒壁よりも半径方向内側にて該環状壁から垂下し且つ少なくとも１個の流出開口が形成されている流出筒壁を有し、
該副容器部材は天面壁、該天面壁から垂下する外側筒壁、及び該外側筒壁よりも半径方向内側にて該天面壁から垂下する内側筒壁を有し、
該副容器部材の該外側筒壁を該蓋部材の該装着筒壁の外周面に昇降自在に装着することによって、該蓋部材に該副容器部材が装着され、
該副容器閉鎖部材は該蓋部材の該流出筒壁及び該副容器部材の該内側筒壁の下端部に装着されて該副容器部材の該内側筒壁の下端を閉塞して、該内側筒壁と協働して閉じた副容器を規定し、
該蓋部材に対して該副容器部材を上昇せしめると、該外側筒壁の下端が該副容器閉鎖部材から上方に離隔せしめられ、該流出筒壁の該流通開口を通して、該副容器内が容器内と連通せしめられる、
ことを特徴とする副容器を備えた容器蓋が提供される。
【０００８】
該蓋部材の該装着筒壁の外周面には雄螺条が形成され、該副容器部材の該外側筒壁の内周面には雌螺条が形成されており、該雄螺条に該雌螺条を螺合せしめることによって該蓋部材に該副容器部材が装着されているのが好都合である。好ましくは、容器の口頸部の外周面には雄螺条及び該雄螺条の下方に配設された複数個のラチェット爪が形成されており、該蓋部材は該流出筒壁よりも半径方向外側にて該環状壁から垂下するスカート壁を有し、該スカート壁には周方向に延びる破断可能ラインが形成されており、該スカート壁は該破断可能ラインよりも上方の主部と該破断可能ラインよりも下方の環状裾部とに区画されており、該スカート壁の該主部の内周面には容器の口頸部の外周面に形成されている雄螺条に螺合せしめられる雌螺条が形成され、該スカート壁の該環状裾部の内周面には容器の口頸部の外周面に形成されているラチェット爪と協働して該蓋部材が開方向に回転せしめられるのを阻止するラチェット爪が形成されている。該副容器閉鎖部材の周縁部には環状溝が形成されており、該環状溝の内側周面が該副容器部材の該内側筒壁の内周面下端部に密接せしめられるのが好適である。該環状溝の該外側周面には係止突条が形成され、該流出筒壁の外周面下端部にも係止突条が形成され、該環状溝の該外側周面の該係止突条と該流出筒壁の外周面下端部の該係止突条とを係合せしめると、該内側筒壁の内周面下端部が該環状溝の該内側周面に密接せしめられ、該流出筒壁の外周面下端部には該係止突条の下方に位置する補助突条が形成され、又は該環状溝の該外側周面には該係止突条の上方に位置する補助突条が形成されているのが好ましい。
【０００９】
【発明の実施の形態】
以下、本発明に従って構成された副容器を備えた容器蓋の好適実施形態を図示している添付図面を参照して、更に詳細に説明する。
【００１０】
本発明に従って構成された容器蓋の好適実施形態を図示している図１乃至図５を参照して説明すると、全体を番号２で示す図示の容器蓋は、後に詳述する容器の口頸部に装着される蓋部材４と、蓋部材４に装着される副容器部材６と、副容器閉鎖部材８とを具備している。蓋部材４はポリプロピレン又はポリエチレンの如き適宜の合成樹脂から成形することができる。副容器部材６及び副容器閉鎖部材８は、これらによって規定される空間（即ち副容器７４）内に収容される第一の内容物に適した合成樹脂、例えば内容物がウイスキー或いはレモン果汁等の場合にはポリエチレンテレフタレートの如き合成樹脂から成形することができる。
【００１１】
図１乃至図３を参照して説明を続けると、図示の実施形態における蓋部材４は環状壁１０、環状壁１０から上方に延びる円筒状の装着筒壁１２、装着筒壁１２よりも半径方向内側にて環状壁１０から垂下し且つ少なくとも１個の流出開口１４が形成されている略円筒状の流出筒壁１６、及び流出筒壁１６よりも半径方向外側にて環状壁１０から垂下する円筒状のスカート壁１８を有している。環状壁１０の下面における、スカート壁１８と流出筒壁１６との間には環状シール部２０が配設されており、かかる環状シール部２０の下面には筒状シール片２２が形成されている。また、環状壁１０の上面における内周縁には環状シール部２４も形成されている。図示の実施形態における装着筒壁１２は環状壁１０の上面における半径方向中間部より若干内側から上方に延びており、かかる装着筒壁１２の外周面には雄螺条２６が形成されている。図示の実施形態における流出筒壁１６は環状壁１０の下面における内周縁から垂下しており、流出開口１４の上端が位置する部位から下方に向かって内径が漸次減少する逆円錐台形状部２８と、かかる台形状部２８の下端から下方に延びる円筒形状部３０とを有している。かように構成された流出筒壁１６の外周面下端部には環状係止突条３２と、かかる係止突条３２の下方に位置する環状補助突条３４とが形成されているのが好適である。図示の実施形態における流出開口１４は流出筒壁１６における逆円錐台形状部２８の上端から円筒形状部３０の下端まで下方に延びる略矩形状である。そしてまた、図示の実施形態におけるスカート壁１８は環状壁１０の下面における外周縁から垂下しており、破断可能ライン３６よりも上方の主部３８と破断可能ライン３６よりも下方の環状裾部４０とに区画されている。スカート壁１８の主部３８の内周面には雌螺条４２が形成され、スカート壁１８の環状裾部４０の内周面にはラチェット爪４４が複数個形成されているのが好適である。かかるラチェット爪４４の各々の、閉回転方向（図２において上方から見て時計方向）に見て前側に位置する前面４６は環状裾部４０の内周面に対して緩やかな傾斜面を規定し、上記閉回転方向に見て後側に位置する後面４８は環状裾部４０の内周面に対して切り立った傾斜面を規定している。また、スカート壁１８の主部３８の外周面には滑り防止用の凸凹形状５０が形成されており、スカート壁１８の環状裾部４０の外周面には把持用突出片５２が一体に連結されており、かかる連結の近傍における環状裾部４０にはその上端から下端まで軸線方向に延びる薄肉破断ライン（図示していない）が形成されている。
【００１２】
図示の実施形態における副容器部材６は円形天面壁５４、天面壁５４から垂下する円筒状の外側筒壁５６、及び外側筒壁５６よりも半径方向内側にて天面壁５４から垂下する円筒状の内側筒壁５８を有している。天面壁５４の下面における、外側筒壁５６と内側筒壁５８との間には環状シール突条６０が形成されている。外側筒壁５６の外周面には滑り防止用の凸凹形状６２が形成されている。また、外側筒壁５６の内周面には雌螺条６４が形成されているのが好適である。図示の実施形態における内側筒壁５８は外側筒壁５６の下端を越えて下方に延出せしめられており、内側筒壁５８の外径は上記蓋部材４の流出筒壁１６における円筒形状部３０の内径と実質上同一乃至これより若干小さくせしめられている。
【００１３】
図示の実施形態における副容器閉鎖部材８は全体として略円盤形状であり、その周縁部に位置する環状溝６６と、かかる環状溝６６の内側周面の上端から上方に向かって外径が漸次減少する円錐台形状部６８と、かかる円錐台形状部６８の上端から実質上水平方向に延びる円形中央部７０とを含んでいる。環状溝６６の外側周面には係止突条７２が形成されているのが好適である。上述するように構成された副容器閉鎖部材８が蓋部材４の流出筒壁１６及び副容器部材６の内側筒壁５８の下端部に装着されて副容器部材６の内側筒壁５８の下端を閉塞すると、容器蓋２には図４に図示する如く閉じた副容器７４が規定される。
【００１４】
図示の実施形態における蓋部材４、副容器部材６及び副容器閉鎖部材８は、例えば次のとおりにして組み合わされ、容器蓋２の副容器７４内に第一の内容物が収容される。最初に、副容器部材６を蓋部材４に被嵌し、次いで閉回転方向、即ち図２において上方から見て時計方向に回転せしめると、副容器部材６の外側筒壁５６の内周面に形成されている雌螺条６４が蓋部材４の装着筒壁１２の外周面に形成されている雄螺条２６に螺合せしめられ、副容器部材６は回転に応じて蓋部材４の装着筒壁１２に沿って下降せしめられる。しかる後においては、副容器部材６における内側筒壁５８の外周面が蓋部材４の環状壁１０の上面における内周縁に形成されている環状シール部２４に密接せしめられる。副容器部材６を更に閉回転方向に回転せしめると、副容器部材６の内側筒壁５８は蓋部材４の環状シール片２４に密接された状態で更に下降せしめられ、内側筒壁５８の下端は流出筒壁１６の円筒形状部３０の下端と実質上同一の軸線方向位置に位置せしめられる。一方、副容器部材６における天面壁５４の下面及び環状シール突条６０の外周面は蓋部材４の装着筒壁１２の上端及び上端部内周面に密接せしめられる。副容器部材６が蓋部材４に装着せしめられた後においては、副容器部材６が装着せしめられた蓋部材４を倒立状態にせしめて、副容器部材６の内側筒壁５８内にウイスキーでよい第一の内容物を充填し、次いで副容器閉鎖部材８を蓋部材４の流出筒壁１６及び副容器部材６の内側筒壁５８の下端部に装着する。図示の実施形態における容器蓋２においては、副容器閉鎖部材８の環状溝６６の外側周面に形成されている係止突条７２が蓋部材４の流出筒壁１６の外周面下端部に形成されている補助突条３４及び係止突条３２を弾性的に乗り越えて、係止突条３２に係合せしめられ、副容器部材６の内側筒壁５８の内周面下端部が副容器閉鎖部材８の周辺部に形成されている環状溝６６の内側周面に密接せしめられる。かくして、蓋部材４、副容器部材６及び副容器閉鎖部材８が組み合わされ、容器蓋２における副容器７４内に第一の内容物が収容される。
【００１５】
上述したとおりの容器蓋２はガラス或いは適宜の合成樹脂等から成形することができる容器の口頸部に適用される。かかる口頸部７６は略円筒形状であり、その外周面には雄螺条７８とかかる雄螺条７８の下方に配設された複数個のラチェット爪８０とが形成されている。かかるラチェット爪８０は周知の形態でよく、ラチェット爪８０の各々には上述した閉回転方向の反対方向に見て前側に位置する前面は口頸部７６の外周面に対して緩やかな傾斜面を規定し、上述した閉回転方向の反対方向に見て後側に位置する後面は口頸部７６の外周面に対して切り立った傾斜面を規定している（図示していない）。
【００１６】
容器内に第二の内容物を充填した後、第一の内容物を副容器７４内に収容した容器蓋２を容器の口頸部７６に装着し、口頸部７６を密封する際には、容器内に水でよい第二の内容物を充填し、次いで口頸部７６に容器蓋２を被嵌して閉回転方向、即ち図２において上方から見て時計方向に回転せしめ、口頸部７６の雄螺条７８に蓋部材４におけるスカート壁１８の内周面に形成されている雌螺条４２を螺合せしめる。これによって容器蓋２は回転に応じて口頸部７６に沿って下降せしめられる。しかる後においては、蓋部材４における環状壁１０の下面に配設された筒状シール片２２が口頸部７６の円筒状内周面に沿って下降せしめられ、口頸部７６に対して容器蓋２が整合、更に詳しくは口頸部７６の中心軸線に対して容器蓋２の中心軸線が整合せしめられる。所要トルクで容器蓋２を閉回転方向に回転せしめて、図３乃至４に図示する状態まで雌螺条４２を雄螺条７８に螺合せしめると、蓋部材４における筒状シール片２２は口頸部７６の上端部の円筒状内周面に密接せしめられて半径方向内方に幾分撓まされる。その後、口頸部７６の環状頂面は容器蓋２の蓋部材４における環状シール部２０の下面に密接せしめられ、口頸部７６が密封される。かような密封操作の際には、口頸部７６に形成されているラチェット爪８０は容器蓋２の環状裾部４０の内周面に形成されているラチェット爪４４に干渉するが、ラチェット爪４４の緩やかな前面４６とラチェット爪８０の緩やかな前面（図示していない）とが相互に作用することによって、容器蓋２の環状裾部４０及びこれに形成されているラチェット爪４４が弾性的に変形され、ラチェット爪８０を乗り越えて周方向に移動せしめられる。図３乃至図４に図示する状態における容器蓋２の蓋部材４を上方から見て反時計方向である開回転方向に回転せんとしても、蓋部材４の環状裾部４０の内周面に形成されているラチェット爪４４の切り立った後面４８と口頸部７６の外周面に形成されているラチェット爪８０の切り立った後面（図示していない）との協働によって、蓋部材４の開回転方向への回転が阻止される。
【００１７】
容器蓋２を容器の口頸部７６に装着し、口頸部７６を密封した後においては、不正使用を防止するためにシュリンクフィルムで容器蓋２を覆うことが好適である。また、シュリンクフィルムで容器蓋２の外面を覆うことに代えて、副容器部材６の外側筒壁５６に周方向に延びる破断ラインを形成し、外側筒壁５６を破断ラインよりも上方の上部と破断ラインよりも下方の下部とに区画し、破断ラインよりも下方の下部の内面には係止手段を配設し、蓋部材４の装着筒壁１２の外周面における、雄螺条２６の下方にも係止手段を形成し、蓋部材４に副容器部材６が装着された状態においては外側筒壁５６の係止手段が装着筒壁１２の係止手段に係合せしめる形態にすることもできる。
【００１８】
図４乃至図５を参照して説明を続けると、副容器７４内の第一の内容物を容器内に落下せしめて、第一の内容物と容器内の第二の内容物とを混合せしめる際には、容器蓋２の外面を覆うシュリンクフィルム（図示していない）を容器蓋２の外面から離脱せしめ、次いで副容器部材６を開回転方向、即ち図４において上方から見て反時計方向に回転せしめる。これによって蓋部材４は副容器部材６と共に容器に対して反時計方向に回転せしめられんとするが、蓋部材４の環状裾部４０の内周面に形成されているラチェット爪４４の切り立った後面４８と口頸部７６に形成されているラチェット爪８０の切り立った後面（図示していない）との協働によって、蓋部材４は口頸部７６に対して開回転方向に回転せしめられるのが阻止される。所望ならば、雄螺条７８と雌螺条４２との螺合強さを雄螺条２６と雌螺条６４との螺合強さよりも大きくすることによって、蓋部材４が口頸部７６に対して開回転方向に回転せしめられるのを阻止することもできる。一方、副容器部材６は蓋部材４が開回転方向に回転せしめられることが阻止されることに起因して、蓋部材４に対して開回転方向、即ち図２において上方から見て反時計方向に回転せしめられ、蓋部材４の装着筒壁１２に沿って上昇せしめられる。これによって副容器部材６における天面壁５４の下面及び環状シール突条６０の外周面が蓋部材４の装着筒壁１２の上端及び上端部内周面から離脱せしめられると共に、副容器部材６の内側筒壁５８の下端が副容器閉鎖部材８から上方に離隔せしめられ、副容器７４内と容器内とが流出開口１４を通して連通せしめられる。副容器７４内に収容されていた第一の内容物は副容器閉鎖部材８が円錐台形状部６８を有することに起因して流出開口１４を通して容器内に円滑に落下せしめられ、次いで容器内の第二の内容物に混合せしめられる。かかる混合操作の際には、副容器部材６の内側筒壁５８の外周面が蓋部材４の環状壁１０の上面における内周縁に形成されている環状シール部２４に密接せしめられていることに起因して第一の内容物と第二の内容物との混合物が容器蓋２の外側に漏出ことが阻止される。
【００１９】
第一の内容物と第二の内容物とを混合せしめた後に、これらの混合物を消費する際には、図５に図示する容器蓋２の状態から更に、副容器部材６を蓋部材４に対して上記開回転方向に回転せしめ、副容器部材６を蓋部材４から離脱せしめる。これによって蓋部材４の装着筒壁１２が開放され、蓋部材４の流出筒壁１６に形成されている複数個の流出開口１４を通して容器内の第一の内容物と第二の内容物との混合物を消費することができる。
【００２０】
上述した、第一の内容物と第二の内容物との混合物を消費する際においては、副容器部材６を蓋部材４から離脱せしめ、流出開口１４を通して混合物が消費されたが、これに代えて環状裾部４０の外周面に形成されている把持用突出片５２を半径方向外方に強制して、環状裾部４０に形成されている軸線方向に延びる薄肉破断ライン（図示していない）と、周方向に延びる破断可能ライン３６とを破断せしめ、環状裾部４０を有端帯状にしてスカート壁１８から切り離し、容器蓋２の残留部を容器の口頸部７６に対して開回転方向に回転せしめ、容器蓋２の残留部を口頸部７６から離脱して混合物を消費することもできる。
【００２１】
図５及び図６を参照して説明を続けると、副容器部材６を蓋部材４から一旦離脱せしめて蓋部材４の装着筒壁１２を開封した後においても、容器内の第一の内容物と第二の内容物との混合物が全て消費されることなく部分的に残留せしめられている場合には、蓋部材４の装着筒壁１２に再び副容器部材６を装着することによって蓋部材４の装着筒壁１２を再び密封する。かかる際には、副容器部材６を再び蓋部材４の装着筒壁１２に被嵌して、上記閉回転方向に回転せしめる。かくすると、副容器部材６の外側筒壁５６の内周面に形成されている雌螺条６４が蓋部材４の装着筒壁１２の外周面に形成されている雄螺条２６に螺合せしめられ、副容器部材６は回転に応じて蓋部材４の装着筒壁１２に沿って下降せしめられる。しかる後においては、副容器部材６における内側筒壁５８の外周面が蓋部材４の環状壁１０の上面における内周縁に形成されている環状シール部２４に密接せしめられる。副容器部材６を更に閉回転方向に回転せしめると、副容器部材６の内側筒壁５８は蓋部材４の環状シール片２４に密接された状態で更に下降せしめられる。一方、副容器部材６における天面壁５４の下面及び環状シール突条６０の外周面は蓋部材４の装着筒壁１２の上端及び上端部内周面に密接せしめられ、副容器部材６の内側筒壁５８の内周面下端部は蓋部材４の流出筒壁１６の下端部に装着されている副容器閉鎖部材８の環状溝６６の内側周面に密接せしめられる。かかる内側筒壁５８の内周面下端部と環状溝６６の内側周面とが密接せしめられる際に、内側筒壁５８の内周面下端部が副容器閉鎖部材８に作用せしめて副容器閉鎖部材８を下方に強制せしめ、副容器閉鎖部材８の係止突条７２が副容器部材６の流出筒壁１６の係止突条３２を弾性的に乗り越えたとしても、流出筒壁１６には係止突条３２の下方に補助突条３４が形成されていることに起因して、副容器閉鎖部材８の係止突条７２は補助突条３４に係合せしめられ、副容器閉鎖部材８が蓋部材６の流出筒壁１６から離脱せしめられ、容器内に落下せしめられることはない。
【００２２】
図７は副容器閉鎖部材の変形例を図示している。図示する実施形態における略円盤形状の副容器閉鎖部材１０８は環状溝１６６と、かかる環状溝１６６の内側周面の上端の所要部位から上方に傾斜する円形傾斜面１６７と、環状溝１６６の内側周面の上端と円形傾斜面１６７の周縁との間に介在せしめられている付加傾斜面１６９とを含んでいる。環状溝１６６の外側周面には係止突条１７２が形成されているのが好適である。その他の副容器閉鎖部材１０８の構成は図１乃至図６に図示する実施形態と実質上同一である。
【００２３】
図７乃至図８を参照して説明を続けると、上述されたように構成された副副容器閉鎖部材１０８が上記蓋部材４及び副容器部材６に装着された容器蓋１０２の副容器１７４内に収容された第一の内容物を容器内に落下せしめる際においては、副容器１７４内に収容されている第一の内容物は副容器閉鎖部材１０８が傾斜する円形傾斜面１６７を有することに起因して流出開口１４を通して容器内に速やかに落下せしめられ、次いで容器内の第二の内容物に混合せしめられる。
【００２４】
【発明の効果】
本発明の容器蓋においては、副容器内への内容物の充填及びこれに続く副容器の密封が充分に簡易であり、そしてまた副容器内の内容物を容器内に落下せしめる際に容器蓋を構成している部材が容器内に落下せしめられることがない。
【図面の簡単な説明】
【図１】本発明に従がって構成された容器蓋の好適実施形態を示す分解斜視図。
【図２】図１に示す容器蓋の分解断面図。
【図３】図１に示す容器蓋の正面図。
【図４】図１に示す容器蓋を容器の口頸部に装着した状態を示す断面図。
【図５】図１に示す容器蓋に装備された副容器内から内容物を容器内落下せしめている状態を示す断面図。
【図６】副容器閉鎖部材が蓋部材の流出筒壁及び副容器部材の内側筒壁の下端部に装着された状態を示す部分拡大断面図。
【図７】副容器閉鎖部材の変形例の斜視図。
【図８】図７に示す副容器閉鎖部材を図１乃至図６に示す蓋部材及び副容器部材に装着して、副容器内から内容物を容器内落下せしめている状態を示す断面図。
【符号の説明】
２：容器蓋
４：蓋部材
６：副容器部材
８：副容器閉鎖部
１０：環状壁
１２：装着筒壁
１４：流出開口
１６：流出筒壁
１８：スカート壁
２６：雄螺条
３２：係止突条
３４：補助突条
３６：破断可能ライン
３８：主部
４０：環状裾部
４２：雌螺条
４４：ラチェット爪
５４：天面壁
５６：外側筒壁
５８：内側筒壁
６４：雌螺条
６６：環状溝
７２：係止突条
７４：副容器
７６：口頸部
７８：雄螺条
８０：ラチェット爪
１０８：副容器閉鎖部材
１６６：環状溝
【図１】
2004106856.tif 000003
【図２】
2004106856.tif 000004
【図３】
2004106856.tif 000005
【図４】
2004106856.tif 000006
【図５】
2004106856.tif 000007
【図６】
2004106856.tif 000008
【図７】
2004106856.tif 000009
【図８】
2004106856.tif 000010